(57)【特許請求の範囲】
【請求項１】
ポールに支柱を介して天面部を設けた屋外用照明装置において、
前記支柱、又は前記天面部に、照明光を照射する照明ユニットを設け、
前記ポール内に、配線を介して前記照明ユニットに電力を供給する電源ユニットを設け、
前記照明ユニット、及び電源ユニットのそれぞれを防水する防水構造を設け、
前記ポールの上面を覆うキャップ部を備え、
前記キャップ部の裏面に前記電源ユニットを設け、
前記キャップ部に設けた前記支柱の座面に、前記座面に入った水を排出する水抜き孔を設けたことを特徴とする屋外用照明装置。
【請求項２】
前記電源ユニットと前記水抜き孔とを隔て、前記キャップ部から前記電源ユニットよりも下方まで延びる隔壁板を設けたことを特徴とする請求項１に記載の屋外用照明装置。
【請求項３】
前記キャップ部の上面に、キャップ部外周に向かって低くなる曲面形状の曲面部を設けたことを特徴とする請求項１又は２に記載の屋外用照明装置。
【請求項４】
前記キャップ部に設けた前記支柱の座面に、前記支柱を位置決めする位置決め部材を設けたことを特徴とする請求項１乃至３のいずれかに記載の屋外用照明装置。
【請求項５】
前記照明ユニットは、光源ユニットを覆うグローブを有し、
前記グローブは、前記支柱を囲って配置され、
前記キャップ部の上面は、前記グローブを位置決めする凹形状に形成されていることを特徴とする請求項１乃至４のいずれかに記載の屋外用照明装置。
【発明の詳細な説明】
【技術分野】
【０００１】
本発明は、ポールに支柱を介して天面部を設けた屋外用照明装置に関する。
【背景技術】
【０００２】
街路灯には、上端に光源ユニットであるＬＥＤ照明装置が取り付けられたポールを備え、このポールの下部を大径部とし、大径部内に電源ユニットを収容した構造がある（例えば、特許文献１参照）。この電源ユニットは、防水構造体内に、コントローラ、充電器兼駆動装置、及び二次電池を組み込んで構成され、電源ユニット全体を防水する構造に形成されている。
【先行技術文献】
【特許文献】
【０００３】
【特許文献１】特開２０１４−１５８３８３号公報
【発明の概要】
【発明が解決しようとする課題】
【０００４】
ところで、発明者等の検討によると、ポールに支柱を介して天面部を設け、支柱、又は天面部に照明ユニットを設けて歩行者の足下を照らす歩行者用照明装置を考えた場合、デザインの制約上、天面部や支柱に電源ユニットを配置するだけの空間的余裕を確保することが難しい。
そこで、発明者等は電源ユニットをポールに配置することを検討したが、電源ユニットと照明ユニットとの間の配線が支柱を経由し、この支柱周りを防水構造にすると構造が複雑化してしまう。また、防水部品が必要になり部品点数が増えてしまう。
【０００５】
特許文献１の構造は、電源ユニットを囲う大型の防水構造体を必要とするため、電源ユニットが大型化し、部品点数も増えてしまう。このため、特許文献１の技術を適用しても構造の複雑化や部品点数の増大を回避し難い。
また、照明ユニットを支柱に配置したタイプと、照明ユニットを天面部に配置したタイプの両方を想定した場合、電源ユニットの配置構造及び防水構造を共通化し易くすることが望まれる。
【０００６】
本発明は、上述した事情に鑑みてなされたものであり、照明ユニットと電源ユニットとの間の支柱周りの防水構造を簡易化可能な屋外用照明装置を提供することを目的とする。
【課題を解決するための手段】
【０００７】
上記目的を達成するために、本発明は、ポールに支柱を介して天面部を設けた屋外用照明装置において、前記支柱、又は前記天面部に、照明光を照射する照明ユニットを設け、前記ポール内に、配線を介して前記照明ユニットに電力を供給する電源ユニットを設け、前記照明ユニット、及び電源ユニットのそれぞれを防水する防水構造を設け、前記ポールの上面を覆うキャップ部を備え、前記キャップ部の裏面に前記電源ユニットを設け、前記キャップ部に設けた前記支柱の座面に、前記座面に入った水を排出する水抜き孔を設けたことを特徴とする。
【０００８】
また本発明は、上記屋外用照明装置において、前記電源ユニットと前記水抜き孔とを隔て、前記キャップ部から前記電源ユニットよりも下方まで延びる隔壁板を設けたことを特徴とする。
【０００９】
また本発明は、上記屋外用照明装置において、前記キャップ部の上面に、キャップ部外周に向かって低くなる曲面形状の曲面部を設けたことを特徴とする。
また本発明は、上記屋外用照明装置において、前記キャップ部に設けた前記支柱の座面に、前記支柱を位置決めする位置決め部材を設けたことを特徴とする。
【００１０】
また本発明は、上記屋外用照明装置において、前記照明ユニットは、光源ユニットを覆うグローブを有し、前記グローブは、前記支柱を囲って配置され、前記キャップ部の上面は、前記グローブを位置決めする凹形状に形成されていることを特徴とする。
【発明の効果】
【００１１】
本発明によれば、照明ユニットと電源ユニットとの間の支柱周りの防水構造を簡易化できる。
【図面の簡単な説明】
【００１２】
【図１】第１実施形態に係る屋外用照明装置を示した図である。
【図２】照明装置本体を示した図であり、図２（Ａ）は照明装置本体を側方から見た図、図２（Ｂ）は下方から見た図である。
【図３】照明装置本体の分解斜視図である。
【図４】照明装置本体のキャップ部の凹部を周辺構成と共に示した図である。
【図５】図２（Ａ）のＸ−Ｘ断面の一部を示した図である。
【図６】光源ユニットを示した図であり、図６（Ａ）は光源ユニットの側面図、図６（Ｂ）は平面図、図６（Ｃ）は図６（Ｂ）のＹ−Ｙ断面図である。
【図７】防水ブッシングを示した図であり、図７（Ａ）は防水ブッシングの平面図、図７（Ｂ）は図７（Ａ）の下方から見た図、図７（Ｃ）は図７（Ａ）の側方から見た図である。
【図８】防水ブッシングの外部露出部を支柱の孔部と共に示した図であり、図８（Ａ）は外部露出部の第１突起部の挿入前の状態を示し、図８（Ｂ）は挿入途中を示し、図８（Ｃ）は挿入後の状態を示した図である。
【図９】電源ユニットをキャップ部と共に示した図であり、図９（Ａ）は電源ユニットをキャップ部と共に下方から見た図、図９（Ｂ）は図９（Ａ）のＺ−Ｚ断面を示した図である。
【図１０】電源ユニットとキャップ部の分解斜視図である。
【図１１】第２実施形態に係る屋外用照明装置を示した図である。
【図１２】屋外用照明装置の天面部の分解斜視図である。
【図１３】第１取付部品を説明する図であり、図１３（Ａ）は第１取付部品を被固定部品と共に示した図、図１３（Ｂ）は第１取付部品を突起側から見た図である。
【図１４】第２取付部品を説明する図であり、図１４（Ａ）は第２取付部品を被固定部品と共に示した図、図１４（Ｂ）は第２取付部品を突起側から見た図である。
【発明を実施するための形態】
【００１３】
以下、図面を参照して本発明の実施形態について説明する。
（第１実施形態）
図１は第１実施形態に係る屋外用照明装置１０を示した図である。
屋外用照明装置１０（以下、照明装置１０と表記する）は、屋外の地面に立設されるポール１１と、このポール１１に支柱１２を介して天面部１３を支持するフレーム構造を有する照明装置本体２０と、照明装置本体２０に支持される照明ユニット３０とを備えている。
ポール１１は円筒状に形成されて地面に垂直に立設され、ポール１１よりも上方に配置された照明ユニット３０から照明光を照射することで、この照明装置１０は歩道路面等を照明するアプローチライトとして用いることができる。なお、ポール１１の長さは設置箇所に応じて適宜に調整される。
照明装置１０の中心軸線Ｌ１は、ポール１１の中心軸線と照明装置本体２０の中心軸線と一致しており、図１の中心軸線Ｌ１に沿った上下方向を上下方向と表記し、中心軸線Ｌ１側を内周側、又は中心側と表記し、中心軸線Ｌ１の外周側を外周側と表記する。
【００１４】
（照明装置本体）
図２は照明装置本体２０を示した図であり、図２（Ａ）は照明装置本体２０を側方から見た図、図２（Ｂ）は下方から見た図である。また、図３は照明装置本体２０の分解斜視図である。
照明装置本体２０は、ポール１１の上面を覆うキャップ部２１と、キャップ部２１の上面に取り付けられる複数本（本実施形態では２本）の支柱１２と、支柱１２の上面に取り付けられる天面部１３とを備えている。支柱１２のそれぞれに照明ユニット３０が設けられている。
【００１５】
キャップ部２１は、ポール１１の上部開口に挿入自在な筒状の挿入部２１Ａと、挿入部２１Ａの上部開口を閉塞するとともに挿入部２１Ａの径方向外側に張り出す円形鍔状の上板部２１Ｂとを一体に備えている。この構成により、挿入部２１Ａがポール１１に挿入されると、上板部２１Ｂの周縁部がポール１１の上面に当接し、それ以上の挿入が規制される。この場合、挿入部２１Ａはポール１１に嵌合し、キャップ部２１がポール１１の周方向へ移動することがない。これによって、キャップ部２１をポール１１に位置決めすることができる。
【００１６】
図３に示すように、キャップ部２１の上面を構成する上板部２１Ｂには、周方向に間隔（本実施形態では１８０度間隔）を空けて下方に凹む凹部２１Ｃが形成されている。図１に示すように、各凹部２１Ｃに、支柱１２及び照明ユニット３０が有するグローブ３２のそれぞれが挿入して載置される。つまり、各凹部２１Ｃは、各支柱１２の座面、及び照明ユニット３０（グローブ３２）の座面を構成する。
上板部２１Ｂの上面のうち凹部２１Ｃを除く領域は、図２（Ａ）に示すように、キャップ部２１の中央が最も高く、キャップ部２１の外周に向かって徐々に低くなる曲面形状の曲面部２１Ｄに形成されている。このため、雨水等を曲面部２１Ｄに沿わせて周囲に落下させることができ、キャップ部２１の上面に雨水が溜まることを抑え、且つ、塵埃が付着しても雨水で洗い流すことができる。
【００１７】
図３に示すように、支柱１２は、ポール１１よりも小さく、上下方向に延びる中空の柱形状に形成されている。この支柱１２を凹部２１Ｃに載置し、キャップ部２１の下方から複数本（２本）の締結部材４１を、支柱１２下端に設けた雌ねじ（不図示）に締結することによって、支柱１２がキャップ部２１に固定される。
この支柱１２は、照明装置本体２０の中心側（中心軸線Ｌ１側）を向く板部ＰＡ（以下、「中心側板部ＰＡ」と言う）と、外周側を向く板部ＰＢ（以下、「外側板部ＰＢ」と言う）と、中心側板部ＰＡと外側板部ＰＢの側縁間をつなぐ左右一対の板部ＰＣ（以下、「側方板部ＰＣ」と言う）とを備えており、中心側板部ＰＡが外側板部ＰＢと比べて幅狭となった台形断面に形成されている。
【００１８】
図４はキャップ部２１の凹部２１Ｃを周辺構成と共に示した図である。図５は図２（Ａ）のＸ−Ｘ断面の一部を示した図である。
図４に示すように、キャップ部２１の凹部２１Ｃには、支柱１２を位置決めするための第１位置決め部材２１Ｅと、第２位置決め部材２１Ｆとが一体に設けられている。
図４に示すように、第１位置決め部材２１Ｅは、キャップ部２１の径方向に略沿うとともに上方に突出するリブに形成されており、図５に示すように、支柱１２を凹部２１Ｃの固定すべき位置に配置した際に、支柱１２の左右一対の側方板部ＰＣの一方側の内面に当接する。これにより、支柱１２の側方板部ＰＣを位置決めする。
【００１９】
また、第２位置決め部材２１Ｆは、上記第１位置決め部材２１Ｅよりもキャップ部２１の径方向外側にて、キャップ部２１の周方向に略沿って上方に突出するリブに形成されており、図５に示すように、支柱１２を凹部２１Ｃの固定すべき位置に配置した際に、支柱１２の外側板部ＰＢの内面に当接する。これにより、支柱１２の外側板部ＰＢを位置決めする。
第１位置決め部材２１Ｅ、及び第２位置決め部材２１Ｆによって支柱１２を位置決めすることにより、支柱１２の径方向、及び周方向への移動を規制することができる。また、支柱１２の向きを間違えて組み付けようとしても、支柱１２の下端に、第１位置決め部材２１Ｅ、及び第２位置決め部材２１Ｆの少なくともいずれか一方が当接するので、支柱１２を組み付けることができず、組み間違いを回避することができる。以上により、支柱１２の位置や向きのばらつきを抑えることができる。
【００２０】
より具体的には、第１位置決め部材２１Ｅは、支柱１２の側方板部ＰＣに当接するだけでなく、図５に示すように、長手方向の一端部（キャップ部２１の径方向内側の端部に相当）が、支柱１２の中心側板部ＰＡの内面に当接する。すなわち、第１位置決め部材２１Ｅは、支柱１２の側方板部ＰＣ、及び中心側板部ＰＡの２面に当接する。これによって、支柱１２の径方向外側への移動、及び、周方向への移動を規制している。
また、同図５に示すように、第２位置決め部材２１Ｆについても、支柱１２の外側板部ＰＢに当接するだけでなく、図５に示すように、長手方向の両端部が、支柱１２の左右一対の側方板部ＰＣの内面にそれぞれ当接する。すなわち、第２位置決め部材２１Ｆは、支柱１２の外側板部ＰＢ、及び左右の側方板部ＰＣの３面に当接する。これによって、支柱１２の径方向内側への移動、及び、周方向への移動を規制している。
これらによって、支柱１２の径方向、及び周方向への移動を効果的に規制し、且つ、組み間違いを効果的に防止することができる。
【００２１】
図４に示すように、第１位置決め部材２１Ｅ、及び第２位置決め部材２１Ｆの間には、一対の孔部２１Ｈ、及び配線用孔部２１Ｊが形成されている。一対の孔部２１Ｈは、支柱１２を締結するための一対の締結部材４１が通る貫通孔であり、配線用孔部２１Ｊは、照明ユニット３０から延びる配線３０Ａ（図３）が通る貫通孔である。
また、凹部２１Ｃの周縁部を構成する周囲壁２１Ｗと、上記孔部２１Ｈ及び配線通し孔２１Ｊとの間にも、凹部２１Ｃを上下に貫通する一対の貫通孔２１Ｋが形成されている。これら貫通孔２１Ｋは、凹部２１Ｃに雨水が入った場合に、これら雨水を配線用孔部２１Ｊよりも手前で下方に排出させる水抜き孔である。
【００２２】
また、凹部２１Ｃは、照明ユニット３０が有するグローブ３２の外形状に沿って凹んだ凹形状に形成されている。これにより、凹部２１Ｃの周囲壁２１Ｗがグローブ３２を組み付ける際のガイドとなり、グローブ３２の組み間違いを防止するとともに、グローブ３２の位置や向きのばらつきを抑えることができる。
【００２３】
図１に示すように、天面部１３は、複数本（２本）の支柱１２を跨がるように支柱１２の上端に載置され、支柱１２上端に設けた雌ねじ（不図示）に、天面部１３を介して締結部材４３（図１、図３）を締結することによって、天面部１３が支柱１２に固定される。この天面部１３は、キャップ部２１と略同径の中空ボックス形状に形成されており、図３に示すように、上面が閉塞され、且つ下方に開口する筒形状の天面部本体１３Ａと、天面部本体１３Ａの下方に連結されて天面部１３の下面を構成する化粧板１３Ｂとを備えている。
同図３に示すように、天面部１３とキャップ部２１との間には、照明ユニット３０が有するグローブ３２が介挿され、このグローブ３２は、上下にグローブパッキン３３（図３）を介して天面部１３とキャップ部２１とに連結される。グローブパッキン３３により外部からグローブ３２内への雨水や外気等の浸入を効果的に抑えることができ、防水及び防湿が可能である。
【００２４】
（照明ユニット）
照明ユニット３０は、支柱１２毎に設けられており、各照明ユニット３０は同構造である。図３に示すように、照明ユニット３０は、支柱１２の中心側板部ＰＡに取り付けられる矩形棒状の光源ユニット３１と、各光源ユニット３１を覆うグローブ３２とを有している。
図６は光源ユニット３１を示した図であり、図６（Ａ）は光源ユニット３１の側面図、図６（Ｂ）は平面図、図６（Ｃ）は図６（Ｂ）のＹ−Ｙ断面図である。
光源ユニット３１は、支柱１２の長手方向と一致する方向に延びる矩形棒状に形成されており、光源にＬＥＤ（Light Emitting Diode）を用いたＬＥＤユニットである。この光源ユニット３１は、当該光源ユニット３１の長手方向に間隔を空けてＬＥＤを配置した基板３５と、この基板３５を収容する矩形筒状のユニットケース３６と、ユニットケース３６の両端に開口する開口部３６Ａ（図６（Ｃ））を閉塞する上下一対の防水ブッシング３７（取付部品）とを備えている。
【００２５】
防水ブッシング３７は、ゴムなどの弾性材料で形成され、ユニットケース３６の開口部３６Ａに嵌合することで開口部３６Ａを閉塞し、外部からの水等の進入を防止して防水及び防湿を図る部品である。
また、ユニットケース３６の開口部３６Ａ以外、つまり、ユニットケース３６自体は外部から水等が浸入しないケースに形成されている。このため、ユニットケース３６及び防水ブッシング３７によって、光源ユニット３１が外部から水等が浸入しない防水及び防湿構造に形成されている。
なお、基板３５から延びる配線３０Ａは、防水ブッシング３７に設けられた孔部３７Ａ（後述する図７（Ａ））を通過して光源ユニット３１外に引き出される。このとき、防水ブッシング３７の弾性により配線３０Ａと防水ブッシング３７との間の隙間は閉塞され、内部には水等が浸入しない。
【００２６】
グローブ３２は、支柱１２に取り付けられた光源ユニット３１を覆うカバー部品である。図３に示すように、このグローブ３２は、外周側の一部が上下に渡って開口した略台形断面のカバー形状に形成されており、上記開口を形成する両側縁が、支柱１２の左右に設けられた溝部１２Ｍ（図５）に係止することで、光源ユニット３１を跨いで支柱１２の左右の側方板部ＰＣを、隙間を空けて覆う。
これによって、グローブ３２は、図５に示すように、支柱１２の内周側（中心側板部ＰＡ、側方板部ＰＣ）を扇状に囲う内周側グローブ３２Ｍ、及び、支柱１２の外側板部ＰＢの左右に連なる外周側グローブ３２Ｎを有する。
このグローブ３２には、光拡散性のカバーの一例たるフロストガラスや乳白色樹脂材料が用いられ、光源ユニット３１の点灯時には、グローブ３２の全面（内周側グローブ３２Ｍ、外周側グローブ３２Ｎ）が明るくなり、支柱１２の内周側及び外周側に向けて照明光を照射することができる。
【００２７】
（防水ブッシング）
図７は防水ブッシング３７を示した図であり、図７（Ａ）は防水ブッシング３７の平面図、図７（Ｂ）は図７（Ａ）の下方から見た図、図７（Ｃ）は図７（Ａ）の側方から見た図である。
防水ブッシング３７は、光源ユニット３１のユニットケース３６の開口部３６Ａ（図６（Ｃ））に挿入される挿入部５０と、挿入部５０の基端に設けられて外部に露出する外部露出部５１とを一体に備えている。
挿入部５０は、ユニットケース３６の開口部３６Ａに挿入可能な軸部の周囲に、軸方向に間隔を空けて複数の鍔部を設けた構成とされ、上記開口部３６Ａに挿入された際に、軸部と開口部３６Ａとの間の隙間を上記鍔部で閉塞する。
【００２８】
外部露出部５１は、ユニットケース３６の開口部３６Ａよりも大型に形成されており、挿入部５０を開口部３６Ａに挿入した際に、ユニットケース３６の端部に当接し、それ以上の挿入を規制する。この外部露出部５１は、ユニットケース３６の端部と同じ矩形の外形状に形成された外部露出部本体５２と、外部露出部本体５２から相対的に大きく突出する第１突起部５２Ａと、外部露出部本体５２から第１突起部５２Ａよりも小さく突出する第２突起部５２Ｂとを一体に備えた構成である。
【００２９】
第１突起部５２Ａは、先端部５２Ｃが基端部５２Ｄよりも径方向外側に拡がった突起であり、支柱１２に設けられた孔部１２Ｘ（図３）に挿入される。また、先端部５２Ｃは、先端に向かって徐々に先細となるテーパ形状に形成されており、先端部５２Ｃを孔部１２Ｘに挿入し易くするとともに、先端部５２Ｃの背面を孔部１２Ｘの裏側（裏面）に係止し易くしている。
図８は外部露出部５１を支柱１２の孔部１２Ｘと共に示した図であり、図８（Ａ）は外部露出部５１の第１突起部５２Ａの挿入前の状態を示し、図８（Ｂ）は挿入途中を示し、図８（Ｃ）は挿入後の状態を示している。
図８（Ａ）に示すように、第１突起部５２Ａの先端部５２Ｃは、最先端の外径ｄ１が孔部１２Ｘの内径ｄ０よりも小さく、最後端の外径ｄ２が孔部１２Ｘの内径ｄ０よりも大きく形成されている（値ｄ１＜値ｄ０＜値ｄ２）。また、第１突起部５２Ａの基端部５２Ｄの外形ｄ３は孔部１２Ｘの内径ｄ０よりも小さく形成されている（値ｄ３＜値ｄ０）。
このため、先端部５２Ｃを支柱１２の孔部１２Ｘに挿入し易く、且つ、図８（Ｃ）に示すように、第１突起部５２Ａの先端部５２Ｃを、支柱１２の孔部１２Ｘを貫通するまで挿入することによって、第１突起部５２Ａの先端部５２Ｃを孔部１２Ｘの裏側（裏面）に確実に係止させることができる。
【００３０】
第２突起部５２Ｂは、第１突起部５２Ａの先端部５２Ｃを孔部１２Ｘに貫通させた際に、孔部１２Ｘの表側（孔部１２Ｘ周囲の表面に相当）に当接する突起に形成されている。この第２突起部５２Ｂの突出量は、図８（Ａ）に示すように、第２突起部５２Ｂの先端と第１突起部５２Ａの先端部５２Ｃ後端との間の離間距離ｔ１を、孔部１２Ｘの長さｔ０（支柱１２の中心側板部ＰＡの厚さに相当）よりも短い突出量に形成している（値ｔ１＜値ｔ０）。また、第１突起部５２Ａの先端部５２Ｃまでの離間距離ｔ２（基端部５２Ｄの長さに相当）（図８（Ａ））は、孔部１２Ｘの長さｔ０よりも長い（値ｔ２＞値ｔ０）。
【００３１】
このため、第１突起部５２Ａを孔部１２Ｘに貫通させることにより、図８（Ｂ）に示すように、第２突起部５２Ｂを、孔部１２Ｘの表側（孔部１２Ｘ周囲の表面に相当）に当接させることができる。この状態では、離間距離ｔ１が孔部１２Ｘの長さｔ１よりも短いので、第１突起部５２Ａの先端部５２Ｃは孔部１２Ａを貫通しない。
【００３２】
第１突起部５２Ａの先端部５２Ｃが孔部１２Ｘを貫通するには、外部露出部５１を孔部１２Ｘに向けて押し込み、図８（Ｃ）に示すように外部露出部５１を弾性変形させる。これにより、第１突起部５２Ａが更に孔部５２Ａに入っていき、先端部５２Ｃが孔部５２Ａを貫通し、先端部５２Ｃの背面が孔部１２Ｘの裏側に係止する。
この場合、図８（Ｃ）に示すように外部露出部５１が弾性変形した状態で係止する。このため、外部露出部５１が元の形状に戻ろうとする復元力が生じ、この復元力により、第１突起部５２Ａと第２突起部５２Ｂとで、孔部１２Ｘを有する部材である支柱１２の板部（中心側板部ＰＡ）を挟持する力が作用する。これによって、図８（Ｂ）に示す状態と比べて、防水ブッシング３７と支柱１２との連結力が向上し、防水ブッシング３７と支柱１２とを強い連結力で連結することができる。
【００３３】
このようにして、防水ブッシング３７と支柱１２との連結力が向上するので、防水ブッシング３７が装着される光源ユニット３１の支持力を向上することができ、上下一対の防水ブッシング３７だけで、光源ユニット３１を支柱１２に支持させることができる。従って、従来のねじを用いて光源ユニット３１を支柱１２に固定する場合と比べて、部品点数を減らすことができ、光源ユニット３１の支持構造を簡易化することができる。
【００３４】
なお、値ｔ２及び値ｔ１の双方、又は、いずれか一方を調整することによって、光源ユニット３１の支持力を調整することが可能である。
発明者等が検討したところ、値ｔ２を値（ｔ０＋１）ｍｍ以上にすることが好ましかった。つまり、外部露出部５１の変形量を１ｍｍ以上確保することで、十分な支持力を得ることができた。以上のように、本実施形態では、防水ブッシング３７によって、光源ユニット３１を防水及び防湿構造にするとともに、光源ユニット３１を支柱１２に容易に支持させることが可能である。
【００３５】
光源ユニット３１の基板３５から延びる配線３０Ａは、支柱１２の中心側板部ＰＡに設けられた孔部１２Ｙ（図３）を通されて支柱１２内を通り、キャップ部２１の凹部２１Ｃに設けられた配線用孔部２１Ｊ（図４）を通ってキャップ部２１内に引き出される。
この場合、配線３０Ａは、支柱１２とグローブ３２に囲まれる領域、及び支柱１２内を通るので、特別な防水及び防湿部品を設けることなく、配線３０Ａを雨水等から防水及び防湿することができる。この配線３０Ａの先端には、防水形コネクタ３０Ｂ（図３）が設けられ、この防水形コネクタ３０Ｂを介して、配線３０Ａがキャップ部２１の裏面に設けられた電源ユニット６０に接続される。防水形コネクタ３０Ｂを用いることにより、光源ユニット３１と電源ユニット６０との間の配線接続部を容易に防水及び防湿することができる。
【００３６】
（電源ユニット）
電源ユニット６０は、配線３０Ａを介して電力を光源ユニット３１に供給することで、光源ユニット３１を点灯制御する。
図９は電源ユニット６０をキャップ部２１と共に示した図であり、図９（Ａ）は電源ユニット６０をキャップ部２１と共に下方から見た図、図９（Ｂ）は図９（Ａ）のＺ−Ｚ断面を示した図である。なお、図９（Ａ）では、キャップ部２１に支柱１２を取り付けるための締結部材４１を省略して示している。また、図１０は電源ユニット６０とキャップ部２１の分解斜視図である。
電源ユニット６０は、キャップ部２１の上板部２１Ｂの裏面に固定され、その周囲がキャップ部２１の筒状の挿入部２１Ａで覆われる。この電源ユニット６０は、図１０に示すように、電源回路を構成した基板６１に、絶縁シート６２及び電源取付板６３を取り付け、締結部材４５によりキャップ部２１の上板部２１Ｂに締結固定される。
【００３７】
キャップ部２１の上板部２１Ｂには、図１０に示すように、電源ユニット６０の周囲を囲う矩形断面で電源ユニット６０よりも下方に延びる筒状の隔壁板６５が一体に設けられている。この隔壁板６５によって、電源ユニット６０の側方からの雨水等の浸入が防止され、防水及び防湿を図ることができる。
また、上板部２１Ｂには、当該上板部２１Ｂを貫通する貫通孔として、図４に示したように、複数の孔部２１Ｈ、２１Ｊ及び２１Ｋが形成されているが、これら孔部２１Ｈ、２１Ｊ及び２１Ｋは、図９（Ａ）に示すように、隔壁板６５とキャップ部２１の挿入部２１Ａとの間に形成されている。このため、これら孔部２１Ｈ、２１Ｊ及び２１Ｋから雨水等が浸入しても、隔壁板６５によって電源ユニット６０に浸入することがない。すなわち、隔壁板６５は、孔部２１Ｈ、２１Ｊ及び２１Ｋから浸入した雨水が電源ユニット６０に回り込むのを防止する水切りリブとして機能する。
【００３８】
図１０に示すように、隔壁板６５には、隔壁板６５を覆うように電源部パッキン６６、及び結線金具６７がこの順で重ねられて締結部材４７により締結固定される。この電源部パッキン６６等によっても、電源ユニット６０に、雨水等が回り込んで浸入することを抑えることができる。なお、結線金具６７は、電源ユニット６０と光源ユニット３１の配線３０Ａとを結線するための部品であり、配線押さえ６９等が締結固定される。
【００３９】
このように電源ユニット６０が、キャップ部２１に収容されるので、キャップ部２１内のスペースを有効利用して電源ユニット６０を配置でき、且つ、キャップ部２１により電源ユニット６０への雨水等の浸入を防止できる。しかも、キャップ部２１に設けられた孔部２１Ｈ、２１Ｊ及び２１Ｋから雨水が浸入したとしても、電源ユニット６０を囲う隔壁板６５によって電源ユニット６０への回り込みが防止されるので、電源ユニット６０を防水構造にすることができる。
【００４０】
以上説明したように、本実施の形態の照明装置１０は、ポール１１に支柱１２を介して天面部１３を設けた構成の下、支柱１２に照明ユニット３０を設け、ポール１１内に、配線３０Ａを介して照明ユニット３０に電力を供給する電源ユニット６０を設け、図６及び図９等に示したように、照明ユニット３０、及び電源ユニット６０のそれぞれを防水及び防湿する構造を設けたので、照明ユニット３０と電源ユニット６０との間の支柱１２周りの防水及び防湿構造を簡易化、及び不要化可能な構成にでき、防水及び防湿構造を簡易化できる。
しかも、図３に示すように、照明ユニット３０と電源ユニット６０との間の配線３０Ａを、照明ユニット３０のグローブ３２と支柱１２とで囲うので、配線３０Ａ専用の防水及び防湿を図る部品を設ける必要がなく、既存部品の効率的な利用が可能である。
【００４１】
また、図９（Ｂ）に示したように、ポール１１の上面を覆うキャップ部２１の裏面に電源ユニット６０を設け、且つ、図４に示したように、キャップ部２１に設けた支柱１２の座面を構成する凹部２１Ｃに、凹部２１Ｃに入った水を排出する水抜き孔である貫通孔２１Ｋを設けたので、キャップ部２１を利用して電源ユニット６０を防水及び防湿できるとともに、支柱１２の座面に入った水を排出できる。
また、図９（Ａ）に示したように、電源ユニット６０と、水抜き孔である貫通孔２１Ｋ等（孔部２１Ｈ、配線用孔部２１Ｊを含む）とを隔て、キャップ部２１から電源ユニット６０よりも下方まで延びる隔壁板６５を設けたので、水抜き孔等から電源ユニット６０への水の回り込みを効果的に防ぐことができる。
【００４２】
また、図２（Ａ）に示したように、キャップ部２１の上面に、キャップ部２１外周に向かって低くなる曲面形状の曲面部２１Ｄを設けたので、キャップ部２１への水の溜まりを抑え、汚れの付着を抑えることができる。
さらに、図４に示したように、キャップ部２１に設けた支柱１２の座面に、支柱１２を位置決めする位置決め部材として機能する第１位置決め部材２１Ｅ、及び第２位置決め部材２１Ｆを設けたので、支柱１２の位置や向きのばらつきを抑えるとともに、支柱１２を組み立て易くなる。
【００４３】
また、図３及び図４に示すように、照明ユニット３０は、光源ユニット３１を覆うグローブ３２を有し、グローブ３２は、支柱１２を囲って配置され、キャップ部２１の上面は、グローブ３２を位置決めする凹形状に形成されているので、グローブ３２の位置や向きのばらつきを抑えるとともに、グローブ３２を組み立て易くなる。
【００４４】
さらに、本実施の形態によれば、光源ユニット３１に取り付けられる取付部品である防水ブッシング３７が、図８（Ａ）乃至図８（Ｃ）に示すように、光源ユニット３１が取り付けられる被固定部品である支柱１２に設けられた孔部１２Ｘを貫通して孔部１２Ｘの裏側に係止する第１突起部５２Ａと、第１突起部５２Ａの周囲にて第１突起部５２Ａと同方向に突出し、第１突起部５２Ａを孔部１２Ｘに貫通させた際に孔部１２Ｘの表側に当接する第２突起部５２Ｂとを備えている。そして、第２突起部５２Ｂが孔部１２Ｘの表側に当接した状態で、第１突起部５２Ａが孔部１２Ｘに向けて押し込まれて当該防水ブッシング３７が弾性変形することで第１突起部５２Ａが孔部１２Ｘの裏側に係止し、当該防水ブッシング３７の復元力で光源ユニット３１を支柱１２に固定する。
この構成によれば、ねじ等の締結部材を用いずに支柱１２に光源ユニット３１を固定可能になる。従って、ねじ等の締結部材を用いて光源ユニット３１を固定する場合と比べて部品点数を減らすことができ、光源ユニット３１の支持構造を簡易化することができる。
【００４５】
また、防水ブッシング３７は、図８（Ａ）に示すように、第１突起部５２Ａにおける孔部１２Ｘの裏側に係止する箇所と、第２突起部５２Ｂの孔部１２Ｘの表側に当接する当接面との間の孔部１２Ｘの軸方向に沿った離間距離ｔ１が、孔部１２Ｘの長さｔ０よりも短く設定されている。このため、確実に防水ブッシング３７を弾性変形させて第１突起部５２Ａ及び第２突起部５２Ｂ間に、被固定部品である支柱１２の板部（中心側板部ＰＡ）を挟持させ、光源ユニット３１の固定力を得ることができる。また、この離間距離ｔ１の調整により、固定力を容易に調整することが可能である。
【００４６】
また、光源ユニット３１は棒状であり、光源ユニット３１の長手方向の両端部に上記防水ブッシング３１が取り付けられるので、光源ユニット３１を可及的に離間する２点で支持でき、光源ユニット３１をより確実に固定することができる。
しかも、光源ユニット３１に装着される防水ブッシング３７を、上記第１突起部５２Ａ及び第２突起部５２Ｂを設けた構成にしているので、防水及び防湿に必要な部品を利用して、光源ユニット３１を支持することができる。これによって、光源ユニット３１の支持構造を効率良く簡易化し、部品点数を削減することができる。
【００４７】
第１実施形態では、照明装置本体２０が有する支柱１２に照明ユニット３０を配置する場合を説明したが、照明装置本体２０が有する天面部１３に照明ユニット３０を配置する構成も可能である。その場合の実施例を第２実施形態として説明する。
【００４８】
（第２実施形態）
図１１は第２実施形態に係る照明装置１０を示した図であり、図１２は、この照明装置１０の天面部１３の分解斜視図である。なお、図１２では、天面部１３を上下反対にした状態での分解斜視図を示している。この照明装置１０は、ポール１１及び照明装置本体２０が第１実施形態と殆ど共通であり、同様の箇所は同一の符号を付して示し、特に異なる部分を説明する。
【００４９】
図１２に示すように、天面部１３は、下方に開口する筒形状の天面部本体１３Ａ内に光源ユニット３１を取り付け、グローブパッキン８１を介して平板形状のグローブ８２を、締結部材８３を用いて固定することによって形成される。
光源ユニット３１は、天面部本体１３Ａ内に収まる薄型板状に形成された基板３５と、基板３５上に設けられたＬＥＤ毎にレンズを備えるレンズユニット８４とを積層して構成され、締結部材８５によって天面部本体１３Ａに固定される。
【００５０】
天面部本体１３Ａの裏面には、光源ユニット３１（基板３５、レンズユニット８４）の周囲を囲う矩形断面で光源ユニット３１よりも下方に延びる筒状の隔壁板８７が一体に設けられ、この隔壁板８７の下端にグローブパッキン８１が装着される。これにより、グローブパッキン８１、グローブ８２、及び隔壁板８７によって、光源ユニット３１の基板３５が覆われ、外部からの雨水等の浸入が防止される。
【００５１】
グローブ８２は、天面部本体１３Ａの下面を覆う略円板形状に形成され、締結部材８３により天面部本体１３Ａに固定される。このグローブ８２は、拡散性のカバーの一例たるフロストガラスや乳白色樹脂材料で形成され、光源ユニット３１の点灯時には、グローブ８２の全面が明るくなり、下方に向けて照明光を照射させる。このとき、上記レンズユニット８４により配光特性が適正に調整され、この照明装置１０をアプローチライトとして用いることができる。
また、キャップ部２１に設けられた凹部２１Ｃは、支柱１２の外形状に沿って下方に凹む形状に形成され、支柱１２だけの座面を構成する。このため、凹部２１Ｃは支柱１２を組み付ける際のガイドとなり、支柱１２の組み間違い等を防止することができる。
【００５２】
以上説明したように、第２実施形態の照明装置１０は、天面部１３に配置される照明ユニット３０、及び電源ユニット６０のそれぞれを防水及び防湿する構造を設けているので、第１実施形態と同様に、照明ユニット３０と電源ユニット６０との間の支柱１２周りに防水及び防湿を図る部品を設けない構成が可能になり、防水及び防湿構造を簡易化できる等の第１実施形態と同様の各種効果が得られる。
また、上述の第１及び第２実施形態で説明したように、本実施形態の照明装置本体２０は、照明ユニット３０を支柱１２に配置したタイプと、照明ユニット３０を支柱１２に配置したタイプのいずれにも共用され、しかも、防水及び防湿に関する構造の複雑化や部品点数の増大を回避することが可能である。
【００５３】
上述した実施形態は、あくまでも本発明の一実施の態様を例示するものであって、本発明の趣旨を逸脱しない範囲で任意に変形、及び応用が可能である。
例えば、光源ユニット３１にＬＥＤ以外の他の光源を用いても良い。また、アプローチライト以外の他の屋外用照明装置に本発明を適用しても良い。
また、本発明の防水ブッシング３７は、上述の構成に限らず、第２突起部５２Ｂ等を適宜に形状変更しても良い。例えば、第２突起部５２Ｂを後述するように環状に形成しても良いし、第２突起部５２Ｂを等間隔で３個設けるようにしても良い。
【００５４】
また、図７から図８に関して説明した取付部品については、光源ユニット３１に取り付けられる防水ブッシング３７に適用する場合を説明したが、筐体に取付けるゴム足などの他の製品に取り付けられる取付部品として本取付部品を適用しても良い。要は、所定の被固定部品に固定される固定部品に取り付けられる取付部品に、上記第１突起部５２Ａ、及び第２突起部５２Ｂを設けるようにすれば良い。これによって、ねじ等の締結部材を用いず、且つ、部品点数の増加を抑えて固定部品を被締結部品に固定することが可能になる。この取付部品の一例を以下に説明する。
【００５５】
図１３（Ａ）はある取付部品１３７（以下、「第１取付部品１３７」と言う）を、被固定部品１１２と共に示した図であり、図１３（Ｂ）は第１取付部品１３７を突起側から見た図である。なお、上述と同様の構成は同一の符号を付して示している。
この取付部品１３７は、不図示の固定部品に取り付けられる部品であり、固定部品の外に露出する外部露出部５１を円錐台形状にし、第２突起部５２Ｂを環状に形成している。この構成によれば、第２突起部５２Ｂと被固定部品１１２との接触面積を広く、且つ、バランス良く確保できるので、取付部品１３７と被固定部品１１２との連結力を向上させ易く、固定部品の固定力を得やすくなる。
【００５６】
また、図１４（Ａ）は別の取付部品２３７（以下、「第２取付部品２３７」と言う）を、被固定部品１１２と共に示した図であり、図１４（Ｂ）は第２取付部品２３７を突起側から見た図である。この取付部品２３７は、第２突起部５２Ｂを外部露出部５１の周方向に等間隔で３個設けた点が第１取付部品１３７と異なっている。この構成によっても、第２突起部５２Ｂと被固定部品１１２との接触面積を広く、且つ、バランス良く確保できるので、取付部品２３７と被固定部品１１２との連結力を向上させ易く、固定部品の固定力を得やすくなる。
また、本発明は、上記屋外用照明装置１０に限定されず、ポール１１に支柱１２を介して天面部１３を設けた屋外用照明装置に広く適用可能である。
【符号の説明】
【００５７】
１０  屋外用照明装置
１１  ポール
１２  支柱（被固定部品）
１２Ｘ  支柱の孔部
１３  天面部
２０  照明装置本体
２１  キャップ部
２１Ｃ  凹部（支柱の座面）
２１Ｄ  曲面部
２１Ｅ  第１位置決め部材
２１Ｆ  第２位置決め部材
２１Ｋ  貫通孔（水抜き孔）
３０  照明ユニット
３２  グローブ
３０Ａ  配線
３１  光源ユニット（固定部品）
３６  光源ユニットの開口部
３７  防水ブッシング（取付部品）
５２Ａ  第１突起部
５２Ｂ  第２突起部
６０  電源ユニット
６５  隔壁板
１３７、２３７  取付部品
【図１】
0006617409.tif 000002
【図２】
0006617409.tif 000003
【図３】
0006617409.tif 000004
【図４】
0006617409.tif 000005
【図５】
0006617409.tif 000006
【図６】
0006617409.tif 000007
【図７】
0006617409.tif 000008
【図８】
0006617409.tif 000009
【図９】
0006617409.tif 000010
【図１０】
0006617409.tif 000011
【図１１】
0006617409.tif 000012
【図１２】
0006617409.tif 000013
【図１３】
0006617409.tif 000014
【図１４】
0006617409.tif 000015